(57)【要約】本発明は、所望のメニューポイント（３９）が移動無線端末装置（１６）の制御ユニット（４２）でもって選択される、メニュー案内式の表示（４０）を有する移動無線端末装置（１６）を使用する、移動無線端末装置のユーザのユーザプロフィールの作成方法に関する。メニューポイント（３９）の選択が移動無線端末装置のユーザにより、ユーザプロフィールを作成して評価するためにメモリユニット（２２）に記憶される。
2006523976.tif 000002
【特許請求の範囲】
【請求項１】
所望のメニューポイント（３９）が移動無線端末装置（１６）の制御ユニット（４２）でもって選択される、メニュー案内式の表示（４０）を有する移動無線端末装置（１６）を使用する、移動無線端末装置のユーザのユーザプロフィールの作成方法において、
前記移動無線端末装置のユーザによる前記メニューポイント（３９）の選択をメモリユニット（２２）に記憶し、ユーザプロフィールを作成して評価することを特徴とする、移動無線端末装置のユーザのユーザプロフィールの作成方法。
【請求項２】
前記移動無線端末装置のユーザは前記ユーザプロフィールを調整可能である、請求項１記載の移動無線端末装置のユーザのユーザプロフィールの作成方法。
【請求項３】
移動無線端末装置ユーザの前記ユーザプロフィールを移動無線網プロバイダの中央管理ユニット（１８）において管理する、請求項１または２記載の移動無線端末装置のユーザのユーザプロフィールの作成方法。
【請求項４】
利用データを完全にまたは部分的に前記移動無線端末装置（１６）に記憶し、評価のために移動無線網を介して中央管理ユニットに伝送する、請求項１から３までのいずれか１項記載の移動無線端末装置のユーザのユーザプロフィールの作成方法。
【請求項５】
種々のユーザプロフィールが作成される、請求項１から４までのいずれか１項記載の移動無線端末装置のユーザのユーザプロフィールの作成方法。
【請求項６】
選択されたメニューポイント（３９）の選択頻度を記憶する、請求項１から５までのいずれか１項記載の移動無線端末装置のユーザのユーザプロフィールの作成方法。
【請求項７】
場所を座標（４６）として記憶する、請求項１から６までのいずれか１項記載の移動無線端末装置のユーザのユーザプロフィールの作成方法。
【請求項８】
目下の滞在地（４６）を記憶し、選択されたメニューポイント（３９）に割り当てる、請求項８記載の移動無線端末装置のユーザのユーザプロフィールの作成方法。
【請求項９】
時間（４４）を記憶し、選択されたメニューポイントに割り当てる、請求項１から７までのいずれか１項記載の移動無線端末装置のユーザのユーザプロフィールの作成方法。
【請求項１０】
選択されたメニューポイント（３９）に前記移動無線端末装置のユーザの個人データを割り当てて記憶する、請求項１から９までのいずれか１項記載の移動無線端末装置のユーザのユーザプロフィールの作成方法。
【発明の詳細な説明】
【技術分野】
【０００１】
技術分野
本発明は、所望のメニューポイントが移動無線端末装置の制御ユニットでもって選択される、メニュー案内式の表示部を有する移動無線端末装置を使用する、移動無線端末装置のユーザプロフィールの作成方法に関する。
【０００２】
従来技術
例えば携帯電話のような移動無線端末装置を用いて、加入者は移動無線網を介して相互に通信することができる。ＧＳＭ規格またはＵＭＴＳ規格による移動無線網は既に以前から知られており、また数多くの文献、例えばテキストブックB. G. Teubner-Verlag Stuttgart-Leipzigにより刊行されている"GSM Global System for Mobile Communication", J. Ebersbpaecher/H. -J. Voegel第２版にも記載されている。
【０００３】
移動無線網の加入者ないしユーザが移動無線端末装置の操作を可能な限り簡単に行えることが望ましい。したがって移動無線端末装置はメニューを介して操作される。移動無線端末装置の機能は表示部を介してメニューとして表され、このメニューによってユーザは所望のメニューポイントを移動無線端末装置のキーを用いて、または音声制御により探すことができる。
【０００４】
時が経つにつれ、メニューを介して移動無線端末装置の機能だけでなく、例えば交通情報、スポーツニュース、ホテルガイドなどのようなサービスも呼び出せるようになった。これらのサービスは相応のサービスプロバイダによって移動無線網において提供される。
【０００５】
各移動無線加入者は、移動無線端末装置の機能またはサービスを利用するために、加入者自身のやり方で所定のメニューポイントを呼び出すための固有の習癖を有するようになる。統一的なメニュー案内に基づき、メニューは個々のユーザに対して個別的に適合されてはいない。したがってユーザは、所望のメニューポイントに達するために、殆どの場合メニュー構造全体を通過して進んでいかなければならない。
【０００６】
発明の開示
したがって本発明の課題は、ユーザにとってより快適な移動無線端末装置の操作を構成することである。
【０００７】
本発明によればこの課題は、冒頭で述べたような方法において、移動無線端末装置のユーザによるメニューポイントの選択がユーザプロフィールを作成して評価するためにメモリユニットに記憶されることによって解決される。
【０００８】
本発明は、ユーザのユーザプロフィールを作成し、評価を行った後にメニュー案内を可能な限り個別的にユーザに適合させるという基本原理に基づく。このために、利用の習癖が検出されることが必要である。これに関して各移動無線加入者の選択したメニューポイントがメモリに記憶される。
【０００９】
本発明による方法の有利な実施形態は、移動無線端末装置のユーザがユーザプロフィールを自身で調整できる場合にもたらされる。この措置によって移動無線端末装置のユーザはユーザプロフィールに影響を及ぼすことができ、また自身の要求に適合させることができる。
【００１０】
有利には、移動無線端末装置のユーザのユーザプロフィールは移動無線網のプロバイダの管理ユニットにおいて管理される。
【００１１】
本発明による方法の有利な実施形態においては、利用データが完全にまたは部分的に移動無線端末装置に記憶され、評価のために移動無線網を介して中央の管理ユニットに伝送される。
【００１２】
本発明による方法の有利な実施形態は種々のユーザプロフィールが作成される場合に得られる。この措置によって、例えば仕事用のユーザプロフィール、余暇用のユーザプロフィール、休暇用の別のユーザプロフィールを使用することができる。しかしながら、頻繁に会社に現われるなどで移動無線端末装置が提供される別の人物のためのユーザプロフィールを作成できる可能性も存在する。
【００１３】
有利には、本発明による方法の特別な実施形態においては、選択されたメニューポイントの選択頻度が記憶される。選択頻度と同様に、適切なユーザプロフィールを作成するために、ユーザのその都度の滞在地も座標として記憶される。有利な変形においては、選択された各メニューポイントに場所座標が割り当てられる。ユーザが繰り返しある１つの場所に滞在する場合には、ユーザに対して、例えばその場所で以前に選択したメニューポイントを容易にアクセス可能な位置において新たに提供することができる。
【００１４】
メニューポイントが選択された時点の割り当てによって、所定の時間にのみ使用されるメニューポイントを移動無線端末装置のユーザが容易にアクセスできるメニューポイントに移動させることができる。
【００１５】
１つまたは複数のユーザプロフィールを所定の加入者に割り当てることができるようにするために、本発明による方法の有利な実施形態においては選択されたメニューポイントに移動無線端末装置ユーザの個人データが割り当てられて、記憶される。
【００１６】
さらなる利点は従属請求項の対象および図面から所属の説明を用いることにより明らかになる。
【００１７】
図面の簡単な説明
図１は本発明による方法の原理略図を示し、
図２はユーザプロフィールを備えた移動無線加入者のレコードの原理略図を示す。
【００１８】
実施例の説明
図１には参照番号１０でもって移動無線網が表されている。移動無線網１０は送信塔１２、六角形のセル１４および移動無線端末装置１６によって具体的に示されている。セル１４は移動無線網１０によってカバーされている領域的な範囲を象徴的に表している。移動無線網１０における加入者は移動無線端末装置１６によって象徴的に表されている。
【００１９】
殊に、コンピュータ支援式の中央ユニット１８においては、移動無線加入者１６の管理および移動無線網１０における通信希望の調停が行われる。無線（矢印２０）を介して移動無線網１０が移動無線加入者による通信要求を伝送する。中央ユニット１８はメモリ２２を有し、このメモリ２２には適切なデータバンク２４がディジタルの形態で記憶されている。データバンク２４には加入者に関する全てのデータがレコード２６として存在している。これについて図２を参照されたい。
【００２０】
矢印２８は、送信塔１２を介する中央ユニット１８と移動無線端末装置１６との双方向コネクションを表している。各移動無線加入者は自身の移動無線端末装置１６を用いて、サービスプロバイダ３０，３２のサービスもしくは移動無線端末装置１６の個別的な機能を呼び出すことができる。サービスプロバイダ３０，３２はこのために、例えば交通情報、航空情報またはホテルガイドのようなサービスを中央ユニット１８を介して移動無線網１０に供給する。このことは矢印３４，３６によって表されている。
【００２１】
移動無線端末装置の機能およびサービスプロバイダ３０，３２のサービスを、階層的な構造を有するメニュー３８を介してその都度呼び出すことができる。メニュー３８はメニューポイント３９から構成されており、また表示部４０に表される。キー４２を用いてまたは音声制御でもって、所望のメニューポイント３９を選択するために、メニュー３８内では複数のメニューレベルを介してナビゲートすることができる。メニュー３８は中央でコンピュータ制御式の中央ユニット１８において処理および管理される。
【００２２】
各移動無線加入者は異なる習癖を有する。したがって移動無線加入者は種々のメニューポイント３９を好むことになる。つまり種々の移動無線加入者のメニューポイントの利用特性ないし選択は非常に個別的なものとなる。したがってこの利用特性は個々の移動無線加入者各々によってメモリ２２におけるデータバンク２４のレコード２６に記憶される。利用特性に対する判定基準は所定のメニューポイント３９に対する選択頻度である。移動無線加入者の利用特性を中央ユニット１８によって評価した後に、メニュー３８を個別的にユーザプロフィールとして各移動無線加入者に適合させることができる。移動無線加入者に対して個別的に適合されたメニュー３８はユーザプロフィールに相当する。
【００２３】
このようにして各移動無線加入者はメニューを取得し、このメニューは可能な限り移動無線加入者の要求に合わせてアレンジされている。このユーザプロフィールを移動無線加入者によって何時でも変更することができる、もしくは完全にないし部分的に消去することができる。完全に消去された場合には、所定の本来のメニューが表示部４０に表される。ユーザプロフィールは基本的に可変であり、殊に時間的または場所的な観点に応じて変化する。１人の移動無線加入者に対して複数のユーザプロフィールを作成することもできる。つまり、例えば仕事用のユーザプロフィール、余暇用のユーザプロフィール、休暇用のユーザプロフィールを使用することができる。
【００２４】
図２にはデータバンク２４のレコード２６の原理略図が示されている。殊にレコード２６は好ましいメニューポイント３９を包含する。各メニューポイント３９には移動無線端末装置１６の機能またはサービスプロバイダ３０，３２のサービスが割り当てられている。レコード２６は各メニューポイント３９について時間情報４４および場所情報４６を包含する。時間情報４４をｔ１，ｔ２，ｔ３...によって表すことができ、これらの時間には、例えばメニューが移動無線端末装置１６の表示部４０に現われるべき任意の時間を使用することができる。このことは矢印４８でもって表されている。相応に、所定のメニュー３９を所定の場所４６において漸く表すことができる。ここでは座標が（ｘ１，ｙ１）；（ｘ２，ｙ２）；（ｘ３，ｙ３）；...でもって表されている。
【００２５】
ユーザプロフィールを中央ユニット１８によって、または移動無線網のユーザによって十分に自動的に作成することができる。ユーザプロフィールを自動的に作成するために加入者の利用特性が必要であり、この利用特性が記憶されて評価される。利用特性を基本的には先ず移動無線端末装置１６自体に中間記憶することができ、所定の時点にのみ、例えば移動無線網１０の負荷が比較的少ないときに、中央ユニット１８に伝送することができる。
【図面の簡単な説明】
【００２６】
【図１】本発明による方法の原理略図。
【図１】
2006523976.tif 000003
【国際調査報告】
2006523976.tif 000004
2006523976.tif 000005
2006523976.tif 000006
2006523976.tif 000007
2006523976.tif 000008
2006523976.tif 000009